(57)【特許請求の範囲】
【請求項１】
集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、信号処理演算部に接続されるフラッシュＲＯＭからなるメモリ部と、マイク部及びスピーカ部と、信号処理演算部との間で音声に関する信号の入出力処理を行う入出力ブロックとを備え、信号処理演算部は、主制御部からの要求に応じてメモリ部にアクセスし主制御部から与えられるデータをメモリ部に格納するとともにメモリ部から読み出したデータを主制御部に受け渡すメモリアクセス手段を具備し、入出力ブロックは、ロビーインターホン若しくはドアホンからの呼出音と警報音を時間的に区切られた連続する複数の期間で交互に信号処理演算部に出力し、メモリ部には、圧縮された複数の音声メッセージデータ並びにメロディ音データ、主制御部の制御動作に関する設定データが格納され、メモリ部から読み出した音声メッセージデータを伸長する音声メッセージ伸長部と、メモリ部から読み出したメロディ音データを伸長するメロディ音伸長部とが信号処理演算部に設けられたことを特徴とする住宅情報盤。
【請求項２】
集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、主制御部に接続されるＥＥＰＲＯＭからなるメモリ部と、マイク部及びスピーカ部と、信号処理演算部との間で音声に関する信号の入出力処理を行う入出力ブロックとを備え、主制御部は、信号処理演算部からの要求に応じてメモリ部にアクセスし信号処理演算部から与えられるデータをメモリ部に格納するとともにメモリ部から読み出したデータを信号処理演算部に受け渡すメモリアクセス手段を具備し、入出力ブロックは、ロビーインターホン若しくはドアホンからの呼出音と警報音を時間的に区切られた連続する複数の期間で交互に信号処理演算部に出力し、メモリ部には、主制御部用の設定データ、信号処理演算部を構成するデジタル・シグナル・プロセッサのプログラム並びに設定データが格納されることを特徴とする住宅情報盤。
【発明の詳細な説明】
【０００１】
【発明の属する技術分野】
本発明は、住宅情報盤に関するものである。
【０００２】
【従来の技術】
近年、マンション等の集合住宅には、共同玄関に設置されるロビーインターホン並びに各住戸の玄関戸外に設置されるドアホンと、各住戸内に設置される住宅情報盤との間で通話を行う住宅情報盤システムが設置されるようになっている。図５は従来の住宅情報盤システムの一例を概略的に示すシステム構成図である。
【０００３】
この住宅情報盤システムは、共同玄関に設置されるロビーインターホン１０２と、管理人室等に設けられる警報監視盤１０３と、各住戸に設置される住宅情報盤１００…と、各住戸の玄関戸外に設置されるドアホン１０１…とを備える。ロビーインターホン１０２と警報監視盤１０３との間、ロビーインターホン１０２と住宅情報盤１００…の各々との間は信号線を介して接続されており、ロビーインターホン１０２、警報監視盤１０３、ロビーインターホン１０２及び住宅情報盤１００……の各々との間で信号の伝送が可能となっている。
【０００４】
また、各住戸の玄関戸外に設けられる各ドアホン１０１…は、対応する住戸内の各住宅情報盤１００…と信号線を介して接続されている。ロビーインターホン１０２は、テンキー等の外部入力手段１０２ａや、マイク１０２ｂや、スピーカ１０２ｃや、呼出ボタン１０２ｄ等を備える。
【０００５】
そして、来訪者が、ロビーインターホン１０２に設けられた外部入力手段１０２ａから、訪問先の住戸の住戸番号を入力し、呼出釦１０２ｄを押操作すると、入力された住戸番号の住戸内に設置されている住宅情報盤１００…から呼出音が発せられ、当該住戸の在宅者が呼出音に応答して住宅情報盤１００…の応答釦を押操作した場合には、ロビーインターホン１０２のマイク１０２ｂやスピーカ１０２ｃと、住宅情報盤１００…が具備するマイクやスピーカとにより、来訪者と在宅者とが通話できるようになっている。
【０００６】
また、警報監視盤１０３は、テンキー等の外部入力手段１０３ａや、ハンドセット１０３ｂや、警報発令手段（図示せず）や、各住戸に設けられた火災感知器等の各種セキュリティセンサ（図示せず）の状態を監視する監視手段（図示せず）等を備える。そして、管理人等が警報監視盤１０３に設けられた外部入力手段１０３ａから、何れかの住宅番号を入力すると、この住戸番号の住戸内に設置された住宅情報盤１００…から呼出音が発せられ、当該住戸の在宅者が呼出音に応答して住宅情報盤１００…の応答釦を押操作した場合には、警報監視盤１０３のハンドセット１０３ｂと、住宅情報盤１００…が具備するマイクやスピーカとにより、管理人等と在宅者とが通話できるようになっている。
【０００７】
また、各住宅情報盤１００…は、マイク並びにスピーカ、警報釦等を備えている。そして、各住宅情報盤１００…に設けられたテンキー等の外部入力手段（図示せず）から、例えば、警報監視盤１０３の住戸番号を入力すると、警報監視盤１０３から呼出音が発せられ、管理人等が呼出音に応答して警報監視盤１０３のハンドセット１０３ｂを取った場合には、住宅情報盤１００…のマイクならびにスピーカと、警報監視盤１０３のハンドセット１０３ｂとにより、在宅者と管理人等とが通話できるようになっている。
【０００８】
また、ドアホン１０１は、呼出釦１０１ａや、マイク１０１ｂや、スピーカ１０１ｃ等を備える。そして、来訪者が、ドアホン１０１の呼出釦１０１ａを押操作した場合には、その住戸内の住宅情報盤１００…から呼出音が発せられ、在宅者が呼出音に応答して住宅情報盤１００…の応答釦を押操作した場合には、ドアホン１０１のマイク１０１ｂならびにスピーカ１０１ｃと、住宅情報盤１００…のマイク並びにスピーカとにより、来訪者と在宅者とが通話できるようになっている。
【０００９】
ところで、住宅情報盤１００では住戸内に設けられた１乃至複数の火災感知器の発報を監視しており、何れかの火災感知器の発報を検出したときには、警報音や予め記憶している音声メッセージ（警報メッセージ）を出力するなどして最初に住戸内の在宅者に火災感知器が作動したことを報知した後、信号線を介して警報監視盤１０３に対して火災感知器が作動したことを示す信号（火災感知器作動信号）を出力する。
【００１０】
また、住宅情報盤１００は、火災感知器作動信号を出力した後、在宅者が所定の火災確定操作を行ったとき、あるいは火災感知器作動信号を出力した後、所定時間内に在宅者が所定の復旧操作を行わなかったときには、警報監視盤１０３に信号線を介して火災確定信号を出力する。この場合、火災の発生した住戸では、予めそれぞれの住宅情報盤１００に記憶させた音声メッセージを出力して警報が行われる。
【００１１】
一方、警報監視盤１０３は、いずれかの住戸から信号線を介して火災感知器作動信号を受信したときには、火災感知器作動信号に付加されたアドレスを識別して当該信号を出力した住戸を特定し、火災感知器作動信号を出力した住宅情報盤１００が設置された住戸番号を表示部に表示し、予告警報を同時に出力することによって管理人等にその旨を知らせる。
【００１２】
また、住宅情報盤１００が更に火災確定信号を出力すると、警報監視盤１０３では信号線を通じてこの火災確定信号を受信するので、火災確定信号を出力した住宅情報盤１００の設置された近隣住戸の住宅情報盤１００を指定して、信号線を通じて警報制御信号を出力し、近隣住戸（火災確定信号を出力した住宅情報盤１００が設置された住戸と同一階、あるいは、直上階の住戸）に設置された住宅情報盤１００からは、例えば、「火事です。火事です。火災が発生しました。安全を確認の上避難して下さい。」といった、音声メッセージを住宅情報盤１００のスピーカを通じて出力させることができる。
【００１３】
ところで、上述のような音声メッセージや呼出音あるいは警報音をスピーカから出力させるに当たり、従来はＣＰＵから音声ＩＣにコマンドを与えて音声ＩＣによって音声メッセージや呼出音あるいは警報音を出力させる構成であった。しかしながら、この従来構成では、ＣＰＵによって音声ＩＣの動作状態を監視することができず、呼出音と警報音との出力のタイミングをＣＰＵで制御しようとしても音声ＩＣの動作状態とＣＰＵからのコマンド送出とにタイムラグが生じて呼出音と警報音とが重畳してしまう虞があった。
【００１４】
これに対して本出願人は、デジタル・シグナル・プロセッサ（ＤＳＰ）で構成される音声信号処理部で音声に関する信号処理を行い、ＣＰＵを主構成要素とする主制御部では主に音声以外の信号処理と信号処理演算部の制御を行う構成とし、信号処理演算部を構成するＤＳＰ内部の時間管理に基づいたソフトウェア処理によって呼出音や警報音を出力する際のタイムラグをほぼゼロとすることで上述のような呼出音と警報音の重畳を回避可能とした住宅情報盤を既に提案している（特願２００１−１６５６３６参照）。
【００１５】
【発明が解決しようとする課題】
しかしながら、ＤＳＰからなる信号処理演算部とＣＰＵを主構成要素とする主制御部とを備えた上記構成においては、ＤＳＰを信号処理演算部として機能させるプログラムや信号処理演算部の動作に関連する各種のパラメータ等のデータを格納するためのメモリと、ＣＰＵで実行するプログラムや主制御部の動作に関連する各種のパラメータ等のデータを格納するためのメモリとがそれぞれ必要となってコストが上昇してしまう。これに対して信号処理演算部と主制御部とで１つのメモリを共用することで使用するメモリの個数を減らすことが考えられるが、この場合に信号処理演算部及び主制御部がそれぞれ個別にメモリにアクセスするとすれば、アドレスバスやデータバスが各々個別に必要となって回路規模が大幅に増大し、また、チップセレクトの構成が複雑になるなどの問題が生じてしまう。
【００１６】
本発明は上記問題に鑑みて為されたものであり、その目的は、回路規模を増大させたり回路構成を複雑にすることなく、メモリ部の個数を減らしてコストダウンが図れる住宅情報盤を提供することにある。
【００１７】
【課題を解決するための手段】
請求項１の発明は、上記目的を達成するために、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、信号処理演算部に接続されるフラッシュＲＯＭからなるメモリ部と、マイク部及びスピーカ部と、信号処理演算部との間で音声に関する信号の入出力処理を行う入出力ブロックとを備え、信号処理演算部は、主制御部からの要求に応じてメモリ部にアクセスし主制御部から与えられるデータをメモリ部に格納するとともにメモリ部から読み出したデータを主制御部に受け渡すメモリアクセス手段を具備し、入出力ブロックは、ロビーインターホン若しくはドアホンからの呼出音と警報音を時間的に区切られた連続する複数の期間で交互に信号処理演算部に出力し、メモリ部には、圧縮された複数の音声メッセージデータ並びにメロディ音データ、主制御部の制御動作に関する設定データが格納され、メモリ部から読み出した音声メッセージデータを伸長する音声メッセージ伸長部と、メモリ部から読み出したメロディ音データを伸長するメロディ音伸長部とが信号処理演算部に設けられたことを特徴とし、主制御部が必要とするデータを信号処理演算部に接続されたメモリ部に格納することで主制御部に専用のメモリを設ける必要が無くなり、メモリ部の個数を減らしてコストダウンが図れる。また、主制御部から信号処理演算部に接続されたメモリ部に直接アクセスする構成に比較して回路構成の簡素化が図れる。
【００１８】
請求項２の発明は、上記目的を達成するために、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、主制御部に接続されるＥＥＰＲＯＭからなるメモリ部と、マイク部及びスピーカ部と、信号処理演算部との間で音声に関する信号の入出力処理を行う入出力ブロックとを備え、主制御部は、信号処理演算部からの要求に応じてメモリ部にアクセスし信号処理演算部から与えられるデータをメモリ部に格納するとともにメモリ部から読み出したデータを信号処理演算部に受け渡すメモリアクセス手段を具備し、入出力ブロックは、ロビーインターホン若しくはドアホンからの呼出音と警報音を時間的に区切られた連続する複数の期間で交互に信号処理演算部に出力し、メモリ部には、主制御部用の設定データ、信号処理演算部を構成するデジタル・シグナル・プロセッサのプログラム並びに設定データが格納されることを特徴とし、信号処理演算部が必要とするデータを主制御部に接続されたメモリ部に格納することで信号処理演算部に専用のメモリを設ける必要が無くなり、メモリ部の個数を減らしてコストダウンが図れる。また、信号処理演算部から主制御部に接続されたメモリ部に直接アクセスする構成に比較して回路構成の簡素化が図れる。
【００２０】
【発明の実施の形態】
（実施形態１）
図１は本実施形態の住宅情報盤における要部の構成を示したブロック図である。本実施形態の住宅情報盤は、信号処理演算部１０との間で音声に関する信号（通話信号及び音声信号）の入出力処理を行う入出力ブロックＢと、ＣＰＵを主構成要素とする主制御部１と、デジタル・シグナル・プロセッサ（ＤＳＰ）で構成される信号処理演算部１０と、信号処理演算部１０で取り扱う各種のデータ並びに主制御部１の制御動作に関する設定データ（パラメータ）を格納する不揮発性のメモリ部３０とを備える。但し、従来例で説明した火災感知器等のセキュリティセンサを監視する手段、呼出信号や火災信号などの制御信号を信号線を介して伝送する伝送手段等については本発明の要旨ではなく、且つその構成は従来周知であるから図示並びに説明を省略する。
【００２１】
入出力ブロックＢは、マイク部４０及びスピーカ部４１と、マイク部４０で集音されたアナログの通話信号をデジタルの通話信号に変換する第１のＡ／Ｄ変換手段たる第１Ａ／Ｄ変換部４２と、信号処理演算部１０から出力されるデジタルの通話信号をアナログの通話信号に変換してスピーカ部４１に出力する第１のＤ／Ａ変換手段たる第１Ｄ／Ａ変換部４３と、信号処理演算部１０から出力されるデジタルの音声信号（呼出音，警報音，音声メッセージ等の信号を指す。以下同じ）をアナログ信号に変換してスピーカ部４１に出力する第２のＤ／Ａ変換手段たる第２Ｄ／Ａ変換部４４と、信号処理演算部１０から出力されるデジタルの通話信号をアナログの通話信号に変換する第３のＤ／Ａ変換手段たる第３Ｄ／Ａ変換部４５と、信号処理演算部１０から出力されるデジタルの音声信号をアナログの音声信号に変換する第４のＤ／Ａ変換手段たる第４Ｄ／Ａ変換部４６と、ロビーインターホン、ドアホン又は警報監視盤からのアナログの通話信号をデジタルの通話信号に変換する第２のＡ／Ｄ変換手段たる第２Ａ／Ｄ変換部４７とを有する。ここで、例えば第１Ｄ／Ａ変換部４３及び第１Ａ／Ｄ変換部４２と第２Ａ／Ｄ変換部４７及び第３Ｄ／Ａ変換部４５とを１チップのＣＯＤＥＣ回路で実現し、第２及び第４Ｄ／Ａ変換部４４，４６を１チップの１６ビットＤ／Ａ変換回路で実現することも可能である。
【００２２】
また、入出力ブロックＢは、第１Ａ／Ｄ変換部４２から出力されるデジタルの通話信号と第２Ａ／Ｄ変換部４７から出力されるデジタルの通話信号を多重（時分割多重）化し、その多重化データＴＡを信号処理演算部１０に出力するデジタル信号多重部４８と、信号処理演算部１０から出力される多重化データＴＢを通話信号と音声信号に分割して第１及び第３Ｄ／Ａ変換部４３，４５に通話信号を出力するとともに第２及び第４Ｄ／Ａ変換部４４，４６に音声信号を出力するデジタル信号分割部４９と、第１Ｄ／Ａ変換部４３から出力されるアナログの通話信号と第２Ｄ／Ａ変換部４４から出力されるアナログの音声信号を多重化してスピーカ部４１に出力するアナログ信号多重部５０と、第２Ｄ／Ａ変換部４４からアナログ信号多重部５０に出力されるアナログの音声信号を複数段階に設定される所定音量となるように減衰させる音声信号減衰手段たる音声信号減衰部５４と、２線−４線変換を行う２線４線変換部５１と、２線４線変換部５１を介して第３Ｄ／Ａ変換部４５から出力されたアナログの通話信号又は第２Ｄ／Ａ変換部４４から出力されたアナログの音声信号と第４Ｄ／Ａ変換部４６から出力されたアナログの音声信号を多重化するアナログ信号多重部５２と、アナログ信号多重部５２から出力される多重化されたアナログ信号を信号線（図示せず）に送出してロビーインターホン，ドアホン又は警報監視盤に伝送するとともに信号線を介してロビーインターホン，ドアホン又は警報監視盤から伝送されたアナログ信号を取り込む外部インタフェース（Ｉ／Ｆ）部５３とを有する。なお、外部Ｉ／Ｆ部５３で取り込まれたアナログ信号（アナログの通話信号）はアナログ信号多重部５２をスルーし、２線４線変換部５１を経て第２Ａ／Ｄ変換部４７においてデジタルの通話信号に変換される。
【００２３】
ここで、デジタル信号多重部４８では、図２に示すようにクロック回路（図示せず）から出力する基準タイミング信号Ｔｒ（例えば、周期１２５μsec、オンデューティ比５０％の方形パルス信号）の立ち上がりに同期し且つオン幅の２分の１の期間（以下、「第１データ期間」と呼ぶ）ＤＴ１に第１Ａ／Ｄ変換部４２から出力されるデジタルの通話信号（住宅情報盤からロビーインターホン等の通話相手機器に送る送話信号）Ｘ１を信号処理演算部１０に出力し、基準タイミング信号Ｔｒの立ち下がりに同期し且つオフ幅の２分の１の期間（以下、「第３データ期間」と呼ぶ）ＤＴ３に第２Ａ／Ｄ変換部４７から出力されるデジタルの通話信号（通話相手機器から送られてきた受話信号）Ｙ１を信号処理演算部１０に出力する。すなわち、多重化データＴＡは図２（ｂ）に示すように基準タイミング信号Ｔｒの立ち上がり及び立ち下がりに同期した第１及び第３データ期間ＤＴ１，ＤＴ３にそれぞれデジタルの通話信号Ｘ１，Ｙ１が配置される。
【００２４】
一方、信号処理演算部１０は、ＤＳＰのハードウェアを専用のソフトウェアで制御することによって通話制御部１１、入力制御部１２、出力制御部１３、呼出音生成部１４、警報音生成部１５、音声メッセージ伸長部１６、メロディ音伸長部１７、タイマ制御部１８、動作制御部１９、設定データ制御部２０などの各部機能を実現している。通話制御部１１は、エコーキャンセラや音声スイッチなどの機能を有し、入力制御部１２で分割された通話信号（送話信号）Ｘ１と通話信号（受話信号）Ｙ１に各種のデジタル処理（通話処理）を施して出力制御部１３に出力し、マイク部４０及びスピーカ部４１を使ってロビーインターホン、ドアホン又は警報監視盤との間で拡声通話を可能とするものである。但し、このような機能を有する通話制御部１１は従来周知であり、また本発明の要旨ではないので詳細な説明は省略する。
【００２５】
呼出音生成部１４は予め用意された複数の呼出音の中から適宜選択して生成したデジタルの呼出音を出力制御部１３に出力する。なお、呼出音生成部１４で生成可能な呼出音はメロディを有しない比較的に単純な音の組み合わせからなる。同じく、警報音生成部１５は予め用意された複数の警報音の中から適宜選択して生成したデジタルの警報音を出力制御部１３に出力する。なお、警報音生成部１５で生成可能な警報音も呼出音と同様にメロディを有しない比較的に単純な音の組み合わせからなる。
【００２６】
音声メッセージ伸長部１６は、メモリ部３０に圧縮して格納された複数の音声メッセージデータの中から適宜選択して読み出した音声メッセージデータを伸長して出力制御部１３に出力する。同じく、メロディ音伸長部１７はメモリ部３０に圧縮して格納された複数のメロディ音データの中から適宜選択して読み出したメロディ音データを伸長して出力制御部１３に出力する。なお、メロディ音伸長部１７で伸長されたメロディ音データは呼出音として使用される。
【００２７】
出力制御部１３は、通話中においては通話制御部１１で通話処理が施された通話信号（送話信号Ｘ２及び受話信号Ｙ２）に呼出音（メロディ音も含む）や警報音あるいは音声メッセージ等の音声信号Ｚ１，Ｚ２を多重化して出力する。すなわち、出力制御部１３では、図２（ｃ）に示すように基準タイミング信号Ｔｒの立ち上がりに同期し且つオン幅の２分の１の第１データ期間ＤＴ１に通話相手機器に伝送する音声信号（呼出音（リングバックトーン）や警報音あるいは音声メッセージ等）Ｚ１をデジタル信号分割部４９に出力し、第１データ期間ＤＴ１の終了時点から基準タイミング信号Ｔｒの立ち下がりまでの期間（以下、「第２データ期間」と呼ぶ）ＤＴ２に通話制御部１１から出力された送話信号Ｘ２をデジタル信号分割部４９に出力し、第２データ期間ＤＴ２に続く第３データ期間ＤＴ３にスピーカ部４１から出力される音声信号（呼出音や警報音あるいは音声メッセージ等）Ｚ２をデジタル信号分割部４９に出力し、さらに第３データ期間ＤＴ３の終了時点から基準タイミング信号Ｔｒの立ち上がりまでの期間（以下、「第４データ期間」と呼ぶ）ＤＴ４に通話制御部１１から出力された受話信号Ｙ２をデジタル信号分割部４９に出力する。一方、デジタル信号分割部４９は基準タイミング信号Ｔｒに同期して、第１データ期間ＤＴ１に入力された音声信号Ｚ１を第４Ｄ／Ａ変換部４６に出力し、第２データ期間ＤＴ２に入力された送話信号Ｘ２を第３Ｄ／Ａ変換部４５に出力し、第３データ期間ＤＴ３に入力された音声信号Ｚ２を第２Ｄ／Ａ変換部４４に出力し、さらに第４データ期間ＤＴ４に入力された受話信号Ｙ２を第１Ｄ／Ａ変換部４３に出力する（図１参照）。なお、通話中以外では第１〜第４データ期間ＤＴ１〜ＤＴ４にそれぞれ任意の音声信号を出力制御部１３からデジタル信号分割部４９に出力し得るものである。
【００２８】
タイマ制御部１８は、基準タイミング信号Ｔｒをカウントすることで後述する通話切断時間等の種々の時間をカウントするものである。ここで、信号処理演算部１０を構成するＤＳＰでは基準タイミング信号Ｔｒに同期して内部で発生させた割込信号に基づいて各種の処理を実行しており、基準タイミング信号Ｔｒの同期ずれが通話音声の品質に大きく影響することから同期ずれが殆ど生じないクロック回路を用いて基準タイミング信号Ｔｒを生成している。よって、同期ずれが殆ど生じない基準タイミング信号Ｔｒをカウントするタイマ制御部１８では正確な時間のカウントが可能である。
【００２９】
ＤＳＰ動作制御部１９は、主制御部１との間のデータ伝送機能を有し、独自にあるいは主制御部１から伝送されるコマンドデータに応じて他の各部を制御するものであって、例えば、呼出音生成部１４が生成する呼出音の選択や警報音生成部１５が生成する警報音の選択、音声メッセージ伸長部１６で伸長する音声メッセージデータの選択やメロディ音伸長部１７で伸長するメロディ音データの選択等を決定して指示する。一例として、主制御部１が火災感知器の発報を検出して火災警報を発生させるためのコマンドデータを伝送した場合、ＤＳＰ動作制御部１９は当該コマンドデータに従って警報音生成部１５に生成させた火災警報用の警報音や音声メッセージ伸長部１６に伸長させた火災警報用の音声メッセージをスピーカ部４１及び外付けの増設スピーカ部７０（必要に応じて外部Ｉ／Ｆ部５３を介してロビーインターホンやドアホンのスピーカ）から出力させるように各部を制御する。
【００３０】
次に、通話信号及び音声信号の伝送経路に着目して本実施形態の基本動作を説明する。
【００３１】
まず、住宅情報盤のマイク部４０から出力される送話信号は、第１Ａ／Ｄ変換部４２でデジタルの送話信号Ｘ１に変換され、デジタル信号多重部４８にて通話相手機器（ロビーインターホンやドアホン）からの受話信号Ｙ１と多重化されて信号処理演算部１０の入力制御部１２に入力され、さらに通話制御部１１で通話処理された後に出力制御部１３からデジタル信号分割部４９に出力され、第３Ｄ／Ａ変換部４５でアナログの送話信号に変換されて２線４線変換部５１、アナログ信号多重部５２を経て外部Ｉ／Ｆ部５３から信号線に送出されて通話相手機器のスピーカから出力される。
【００３２】
反対に、通話相手機器から信号線を介して伝送されて外部Ｉ／Ｆ部５３にて取り込まれた受話信号は、アナログ信号多重部５２並びに２線４線変換部５１を経て第２Ａ／Ｄ変換部４７でデジタルの受話信号Ｙ１に変換され、デジタル信号多重部４８にてマイク部４１からの送話信号Ｘ１と多重化されて信号処理演算部１０の入力制御部１２に入力され、さらに通話制御部１１で通話処理された後に出力制御部１３からデジタル信号分割部４９に出力され、第１Ｄ／Ａ変換部４３でアナログの受話信号に変換されてアナログ信号多重部５０を経てスピーカ部４１から出力される。
【００３３】
また、信号処理演算部１０で生成される呼出音，警報音並びに音声メッセージ等の音声信号の内でスピーカ部４１から出力されるべき音声信号Ｚ２は、出力制御部１３からデジタル信号分割部４９に出力され、第２Ｄ／Ａ変換部４４でアナログの音声信号に変換された後、アナログ信号多重部５０を経てスピーカ部４１から出力される。
【００３４】
同じく、信号処理演算部１０で生成される呼出音，警報音並びに音声メッセージ等の音声信号の内で通話相手機器のスピーカから出力されるべき音声信号Ｚ１は、出力制御部１３からデジタル信号分割部４９に出力され、第４Ｄ／Ａ変換部４６でアナログの音声信号に変換された後、アナログ信号多重部５２を経て外部Ｉ／Ｆ部５３から信号線に送出されて通話相手機器のスピーカから出力される。
【００３５】
ここで、従来技術で説明したような火災感知器の発報の検出とロビーインターホンやドアホンなどからの呼出とが同時に発生する状況が起こった場合を想定する。この場合、信号処理演算部１０の出力制御部１３は、図３に示すように第１及び第３データ期間ＤＴ１，ＤＴ３に警報音（火災警報音）を出力するとともに第２及び第４データ期間ＤＴ２，ＤＴ４に呼出音（例えば、ロビーインターホンからの呼出音）を出力するから、警報音と呼出音が重畳することを防いで警報音を確実に聞かせることができる。なお、従来では主制御部１を構成するＣＰＵから音声ＩＣにコマンドを与えて呼出音並びに警報音を出力させる構成が採用されていたが、この従来構成ではＣＰＵで音声ＩＣの動作状態を監視することができず、呼出音と警報音との出力のタイミングをＣＰＵで制御しようとしても音声ＩＣの動作状態とＣＰＵからのコマンド送出とにタイムラグが生じて呼出音と警報音との重畳を回避することが困難であった。これに対して本実施形態では、信号処理演算部１０を構成するＤＳＰ内部の時間管理に基づいたソフトウェア処理によって呼出音及び警報音を出力するためにタイムラグがほぼゼロとなり、上述のように警報音と呼出音の重畳が確実に防止できる。
【００３６】
次に、本発明の要旨となる構成について説明する。すなわち本実施形態は、フラッシュＲＯＭのような書き換え可能な不揮発性の記憶素子からなるメモリ部３０を信号処理演算部１０に接続し、主制御部１の制御動作に関する設定データ（パラメータ）をメモリ部３０に格納するとともに、主制御部１が信号処理演算部１０を介してメモリ部３０にアクセスすることにより設定データの読み書きを行うようにした点に特徴があって、ＤＳＰ動作制御部１９及び設定データ制御部２０によりメモリアクセス手段を構成している。ここで、主制御部１の制御動作に関する設定データとしては、例えば、ロビーインターホン又はドアホンから呼出があった場合に出力する呼出音の種類を指定するパラメータ、スピーカ部４１から出力される通話音や呼出音等の音量を設定するパラメータ、ロビーインターホンや警報監視盤等との間で呼出信号や火災信号などの制御信号を信号線を介して伝送する際のアドレスなどがある。
【００３７】
而して、主制御部１がＤＳＰ動作制御部１９に対して設定データをメモリ部３０に格納させるためのコマンドデータと格納する設定データを送信すると、このコマンドデータを受信したＤＳＰ動作制御部１９が設定データ制御部２０に受信した設定データを渡し、設定データ制御部２０によりメモリ部３０にアクセスさせて主制御部１の設定データが格納される領域に設定データを書き込む。また、主制御部１が必要な設定データをメモリ部３０から読み出す場合には、ＤＳＰ動作制御部１９に対して設定データをメモリ部３０から読み出させるためのコマンドデータと読み出す設定データのアドレスを送信すると、このコマンドデータを受信したＤＳＰ動作制御部１９が設定データ制御部２０に受信した設定データのアドレスを渡し、設定データ制御部２０によりメモリ部３０にアクセスさせて上記アドレスに格納されている設定データを読み出し、読み出した設定データがＤＳＰ動作制御部１９を通じて主制御部１に返送される。
【００３８】
このような構成とすれば、従来のように設定データを格納するための専用のＥＥＰＲＯＭを設ける必要が無くなってコストダウンが図れる。なお、信号処理演算部１０を介さずに主制御部１からメモリ部３０に直接アクセスする構成も可能であるが、このような構成であると主制御部１からメモリ部３０をアクセスするためのアドレスバスやデータバスが必要となって回路規模が大幅に増大し、また、チップセレクトの構成が複雑になるなどの問題が生じてしまう。これに対して信号処理演算部１０を介してメモリ部３０にアクセスする構成とすれば、上述のような問題が生じることを回避できる。
【００３９】
（実施形態２）
図４は本実施形態の住宅情報盤における要部の構成を示したブロック図である。本実施形態は、ＥＥＰＲＯＭのような書き換え可能な不揮発性の記憶素子からなるメモリ部３１を主制御部１に接続し、信号処理演算部１０の動作プログラムや各種のパラメータ等のデータをメモリ部３１に格納するとともに、信号処理演算部１０が主制御部１を介してメモリ部３１にアクセスすることによりプログラムやデータの読み書きを行うようにした点に特徴がある。なお、これ以外の点は実施形態１と共通であるから、共通の構成要素には同一の符号を付して説明を省略する。
【００４０】
メモリ部３１はアドレスバスやデータバスにより主制御部１と接続されており、主制御部１はメモリ部３１にアクセスしてデータの書き込み及び読み出しを行うメモリ制御部２２と、信号処理演算部１０との間でデータ通信を行う通信制御部２３とを具備している。ここで、メモリ部３１に格納される信号処理演算部１０のデータは、上記動作プログラム（ＤＳＰ用プログラム）や呼出音、警報音並びに音声メッセージの他、通話制御部１１における通話処理に必要となるパラメータ等の設定データ等である。なお、信号処理演算部１０は主制御部１の通信制御部２３との間でデータ通信を行うための通信制御部２１を具備している。
【００４１】
而して、信号処理演算部１０の起動時に主制御部１のメモリ制御部２２がメモリ部３１から読み出した動作用プログラムを通信制御部２３を介して信号処理演算部１０に送信し、信号処理演算部１０では通信制御部２１で受信した動作用プログラムを内蔵メモリにロードして実行する。また、ロビーインターホンやドアホンとの通話を開始する際、あるいは呼出音や警報音、音声メッセージを出力する際には、信号処理演算部１０から主制御部１に対してメモリ部３１に格納されている設定データの読み出しを要求するコマンドを通信制御部２１より送信し、このコマンドを通信制御部２３で受信した主制御部１では、メモリ制御部２２がメモリ部３１にアクセスして所望の設定データを読み出し、読み出した設定データを通信制御部２３を通じて信号処理演算部１０に送信する。そして、信号処理演算部１０では通信制御部２１で受信した設定データに基づいて通話制御部１１が通話処理を行ったり、出力制御部１３から呼出音等を出力するものである。すなわち、本実施形態においては主制御部１のメモリ制御部２２並びに通信制御部２３によりメモリアクセス手段を構成している。なお、主制御部１の制御動作に関する設定データはメモリ制御部２２によって随時メモリ部３１に書き込み、あるいは読み出される。
【００４２】
本実施形態は上述のように構成したものであるから、信号処理演算部１０の動作用プログラムや設定データを格納するための専用のメモリ部を設ける必要が無くなってコストダウンが図れるとともに、信号処理演算部１０は主制御部１を通じてメモリ部３１へのプログラムやデータの書き込み及び読み出しを行うため、回路規模の増大や回路構成の複雑化を回避することができる。また、実施形態１の構成では信号処理演算部１０が異常動作しているときに主制御部１がメモリ部３０から設定データを読み出すことができずに住宅情報盤全体の動作が停止してしまう虞があるが、本実施形態の構成であれば信号処理演算部１０が異常動作しているときでも主制御部１がメモリ部３１から設定データを読み出すことが可能であり、住宅情報盤全体の動作が停止してしまうといった事態を回避することができる。なお、本実施形態では呼出音や警報音あるいは音声メッセージのデータをメモリ部３１に格納するようにしているが、例えば呼出音や警報音を限定したり音声メッセージの出力を行わないようにした場合には、メモリ部３１に格納する信号処理演算部１０の設定データの量が減少するから、メモリ部３１として容量の少ないものを用いることができてコストダウンが図れる。
【００４７】
【発明の効果】
請求項１の発明は、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、信号処理演算部に接続されるフラッシュＲＯＭからなるメモリ部と、マイク部及びスピーカ部と、信号処理演算部との間で音声に関する信号の入出力処理を行う入出力ブロックとを備え、信号処理演算部は、主制御部からの要求に応じてメモリ部にアクセスし主制御部から与えられるデータをメモリ部に格納するとともにメモリ部から読み出したデータを主制御部に受け渡すメモリアクセス手段を具備し、入出力ブロックは、ロビーインターホン若しくはドアホンからの呼出音と警報音を時間的に区切られた連続する複数の期間で交互に信号処理演算部に出力し、メモリ部には、圧縮された複数の音声メッセージデータ並びにメロディ音データ、主制御部の制御動作に関する設定データが格納され、メモリ部から読み出した音声メッセージデータを伸長する音声メッセージ伸長部と、メモリ部から読み出したメロディ音データを伸長するメロディ音伸長部とが信号処理演算部に設けられたので、主制御部が必要とするデータを信号処理演算部に接続されたメモリ部に格納することで主制御部に専用のメモリを設ける必要が無くなり、メモリ部の個数を減らしてコストダウンが図れるとともに、主制御部から信号処理演算部に接続されたメモリ部に直接アクセスする構成に比較して回路構成の簡素化が図れるという効果がある。
【００４８】
請求項２の発明は、集合住宅の各住戸に設置され、少なくとも集合住宅の共同玄関に設置されるロビーインターホン並びに各住戸の玄関戸外に設置されるドアホンとの間で通話を行うとともに、住戸内に設置されるセキュリティセンサの出力を検出して警報音を発する住宅情報盤において、デジタル・シグナル・プロセッサで構成され、音声に関する信号処理を行う信号処理演算部と、主に音声以外の信号処理を行うとともに信号処理演算部の制御を行う主制御部と、主制御部に接続されるＥＥＰＲＯＭからなるメモリ部と、マイク部及びスピーカ部と、信号処理演算部との間で音声に関する信号の入出力処理を行う入出力ブロックとを備え、主制御部は、信号処理演算部からの要求に応じてメモリ部にアクセスし信号処理演算部から与えられるデータをメモリ部に格納するとともにメモリ部から読み出したデータを信号処理演算部に受け渡すメモリアクセス手段を具備し、入出力ブロックは、ロビーインターホン若しくはドアホンからの呼出音と警報音を時間的に区切られた連続する複数の期間で交互に信号処理演算部に出力し、メモリ部には、主制御部用の設定データ、信号処理演算部を構成するデジタル・シグナル・プロセッサのプログラム並びに設定データが格納されるので、信号処理演算部が必要とするデータを主制御部に接続されたメモリ部に格納することで信号処理演算部に専用のメモリを設ける必要が無くなり、メモリ部の個数を減らしてコストダウンが図れるとともに、信号処理演算部から主制御部に接続されたメモリ部に直接アクセスする構成に比較して回路構成の簡素化が図れるという効果がある。
【図面の簡単な説明】
【図１】  実施形態１の要部の構成を示したブロック図である。
【図２】  同上の動作説明図である。
【図３】  同上の動作説明図である。
【図４】  実施形態２の要部の構成を示したブロック図である。
【図５】  従来の住宅情報盤システムの一例を示すシステム構成図である。
【符号の説明】
１  主制御部
１０  信号処理演算部
１９  ＤＳＰ動作制御部
２０  設定データ制御部
３０  メモリ部
【図１】
0003888219.tif 000002
【図２】
0003888219.tif 000003
【図３】
0003888219.tif 000004
【図４】
0003888219.tif 000005
【図５】
0003888219.tif 000006